(57)【要約】【課題】ボタンに留める留め具であって、ボタンの形状に左右されることが少なく、しかも十分な保持力が維持され、さらにはポケットに留める機能も併せ持つ留め具を提供する。【解決手段】留め具１０は、一枚の板を折り返したようなクリップ形状である。上板１は湾曲しており、湾曲部１２を介して、下板２に接続され、収納空間１１が形成される。上板１には留め穴１３が穿設されている。下板２にはスリット２２が形成されている。上板１の凸部１４が嵌る下板２の凹部２５と、下板２の凸部２４が嵌る上板１の凹部１５とがそれぞれ形成されている。【選択図】  図１
2010012132.tif 000002
【特許請求の範囲】
【請求項１】
ボタン状物をシート状物に取り付けた状態で、ボタン状物とシート状物との間にあるその取付手段を挟持する手段と、ボタン状物を収納する空間と、その空間からボタン状物が脱落しないようにする保持手段と、前記シート状物とは異なる別シート状物の端面を挟持する挟持手段とからなることを特徴とする留め具。
【請求項２】
開閉自在で一端が接続され状態の２枚の板状物で形成され、両方の前記板状物の開放端部が互いに近接または接触し、その両開放端部でシート状物の端部を挟持するクリップ状の留具であって、一方の板状物の開放端側にスリットが形成され、接続端と開放端との間に空間が形成さていることを特徴とする留め具。
【請求項３】
前記空間の中に収納された物が脱落しないように脱落防止手段が設けられていることを特徴とする請求項２記載の留め具。
【請求項４】
前記２枚の板状物が接続端で実質的に一体的になっているクリップ形状であることを特徴とする請求項２記載の留め具。
【発明の詳細な説明】
【技術分野】
【０００１】
本発明は、主に布などのシート状のものに係止するための留め具であって、シート状物の端部を挟持する機能と、そのシート状物に取り付けられたボタンに保持される機能とを兼ね備えた留め具に関する。
【背景技術】
【０００２】
携帯電話などの携行物が落下する危険を軽減する方法としては、ストラップの一端をその携行物に接続して、他端が首下げ式となっている所謂「首提げストラップ」と、ストラップの一端をその携行物に接続して、もう一端に接続された留め具を衣類に取り付けて使用する所謂「クリップ式ストラップ」との２つに大別される。
【０００３】
このうち、クリップタイプは、所謂「ワニ口タイプ」のクリップでポケットなどの衣類の端部を挟んで保持するものと、キーチェーンなどに代表される開閉する「Ｏリング状留め具」をベルト通しなどに取り付ける方法以外には実用化されたものは殆ど無い。そのような中、前記した２つとは全く異なる考え方で「携帯品の落下防止具」として特許文献１に示されたものが提案されている。
【０００４】
【特許文献１】特開平１１−２０７号公報
【０００５】
この提案では、基本的構造としてボタン形状に合わせた留め具を形成してボタンを保持し、その留め具にストラップの一端を接続して、他端に接続された携帯電話などの携行物の落下を防止しようとするものである。この文献の第１の実施例から第３の実施例までは、ボタンの周縁を保持するためにその形状が開口自在に形成されており、そのそれが開閉してボタンが嵌るように形成されている。第４の実施例ではクリップ状の板で形成された一方の面にボタンが通り抜けれる穴を形成して、そこからボタンを一端通り抜けさせてから、ボタンの直径に合わせて形成された係止部で保持するように形成されている。
【０００６】
この提案の基本的考えが、ボタンの周縁を保持する構造であり、その形状がボタンの直径に依存する部分が大きく、殆どの実施形態で示されている留め具はボタンの直径に合わせて形成しなくてはならなく、個々の留め具としてみた場合、使用できるボタンの大きさの制限が大きくなる。第３の実施形態に示したクリップ状の開閉幅の大きなものは、ボタンの直径の変化に対する対応は広いものの、保持力はその分確保しにくくなるため、携行物の重量に対する対応は十分とは言えない。
【発明の開示】
【発明が解決しようとする課題】
【０００７】
したがって、本発明はこの課題を解決するために、ボタンに留める留め具であって、ボタンの形状に左右されることが少なく、しかも十分な保持力が維持され、さらにはポケットに留める機能も併せ持つ留め具を提供することを目的とする。
【課題を解決するための手段】
【０００８】
上記目的を達成するため本発明は、ボタン状物をシート状物に取り付けた状態で、ボタン状物とシート状物との間にあるその取付手段を挟持する手段と、ボタン状物を収納する空間と、その空間からボタン状物が脱落しないようにする保持手段と、前記シート状物とは異なる別シート状物の端面を挟持する挟持手段とからなる。これにより、一つの留め具でポケットの入り口などには挟んで留め、一方、ボタンに留める場合はボタンを縫い付けている糸を挟み込むようにして留め具が保持されることができる。
【０００９】
また、本発明では、開閉自在で一端が接続され状態の２枚の板状物で形成され、両方の前記板状物の開放端部が互いに近接または接触し、その両開放端部でシート状物の端部を挟持するクリップ状の留具であって、一方の板状物の開放端側にスリットが形成され、接続端と開放端との間に空間が形成さているようにした。これよって、クリップ形状の先端で簡単に布の端を挟む一方、ボタンに留めるためにはスリットをボタンと布地との間にすべり込ませて嵌めることにより、ボタンがこの留め具の中に収納されて、留め具がボタンに保持された状態とすることができる。
【００１０】
さらに、本発明では、前記空間の中に収納された物が脱落しないように脱落防止手段が設けられているようにした。これにより、ボタンに取り付ける際に簡単には脱落しないため、大切な携帯電話などのストラップへの接続で有用である。
【００１１】
さらに、本発明では、前記２枚の板状物が接続端で実質的に一体的になっているクリップ形状であるようにした。これにより、構造が簡単であるものの、二通りの留め具としての機能を有する留め具を形成することができる。
【発明の効果】
【００１２】
本発明は、ボタンを布地などのシート状物に取り付けた状態で、ボタンとシート状物との間にある例えば糸などの取付手段を挟持する手段と、ボタンを収納する空間と、その空間からボタンが脱落しないようにする保持手段と、前記シート状物とは異なる別シート状物の端面を挟持する挟持手段とからなるようにしたことにより、ボタンの付け根である糸を挟持するとともに、ボタンを内部に収納した状態で留め具がシート状物に留められ、一方、ボタンに留めないときは、ポケットなどに挟んで留められるため、殆どの携行物のストラップや名札といった頻繁に着脱をする身の回り品用の留め具として有用である。
【００１３】
また本発明は、開閉自在で一端が接続され状態の２枚の板状物で形成され、両方の前記板状物の開放端部が互いに近接または接触し、その両開放端部でシート状物の端部を挟持するクリップ状の留具であって、一方の板状物の開放端側にスリットが形成され、接続端と開放端との間に空間が形成さていることにより、従来のクリップ形状という操作性の良い留め具であると同時に、簡単にボタンに留めることもできるという２つの機能を併せ持つ留め具を構成できることから、操作性及び汎用性に長けた身の回り品用の留め具として有用である。
【００１４】
本発明は、さらに前記空間の中に収納された物が脱落しないように脱落防止手段が設けられていることから、ボタンに取り付けた状態で簡単に外れることがない。
【００１５】
また本発明は、さらに前記２枚の板状物が接続端で実質的に一体的になっているクリップ形状であるようにしたことにより、簡単な構造により本発明の目的を果たすことができるため、樹脂成型だけでなく、金属製など様々な素材での製造を可能にする。
【発明を実施するための最良の形態】
【００１６】
本発明の実施の形態について添付した図面に基づき説明する。ここで図１は本発明に係る一実施形態の留め具の斜視図、図２はその留め具を下から見た斜視図、図３は図２のＡ−Ａ線から見てその留め具をボタンに取り付けた状態を説明する一部断面図、図４は他の実施形態の留め具を説明する斜視図である。
【００１７】
図１に示すように、本実施例の留め具１０は、一枚の板を折り返したようなクリップ形状に形成されている。その上板１は湾曲しており、湾曲部１２を介して、ほぼ平坦な下板２に接続されている。上板１、湾曲部１２、下板２に囲まれた部分には収納空間１１が形成される。上板１の端部には留め穴１３が穿設され、ストラップの端部などを取り付ける。
【００１８】
図２に示すように、下板２には端部から湾曲部１２側へとスリット２２が形成され、その幅はボタンの縫い付け糸が余裕を持って入るほどの幅である。
【００１９】
図３に示すように、上板１と下板２の互いの先端部分は接しており、その接面では、上板１の凸部１４が嵌る下板２の凹部２５と、下板２の凸部２４が嵌る上板１の凹部１５とがそれぞれ形成されている。
【００２０】
留め具１０全体は可撓性を有する素材で形成され、たとえばＡＢＳ樹脂やポリカーボネートなど、十分な可撓性と復元性を有するエンジニアプラスチックが望ましいが、これに限られるものではなく、ステンレススチールなどの金属や、紙複合素材樹脂などでも良い。
【００２１】
この留め具の使用方法について説明する。
まず、シート３０に縫い付けられたボタン３に取り付けるにあたっては、一旦、上板１と下板２の互いの先端部分を押し開き、スリット２２がボタン３の縫い糸３１を通るように入れて、図３に示すように、ボタン３が収納空間１１された状態にする。上板１と下板２の互いの先端部分を閉じると、互いの凸部１４、２４と凹部１５、２５とが噛み合って、ボタン３から外れる方向の力が加わっても、ボタン３は収納空間１１から抜け落ちることはない。
【００２２】
次に、ポケット（図示せず）などの布の端面に取り付けるにあたっては、下板２の先端がポケットの内側で、上板１の先端がポケットの外側になるようにして、ポケットの縁へ押し当てて挟み込む。こうすると、互いの凸部１４、２４と凹部１５、２５とがポケットの布地を介して噛み合って、ポケットから簡単には抜け落ちない。
【００２３】
下板１の留め穴１３にはストラップ（図示せず）などの一端を取り付け、そのストラップの他端を携行物などに接続して使用するが、この状態で上板１に取り付けられたストラップはポケットの外側に位置するため、そのストラップに接続された携行物などが落下しそうになった場合は、その重量で留め具１０がポケットにさらに食い込む方向の力が加わることから、簡単にポケットから抜け落ちることはない。
【００２４】
次に、別の実施形態について説明する。
留め具３の上板３１の先端にはホルダー３４が取り付けられ、このホルダー３４は軟質樹脂で作られ、折り返したループ状となっていて、名札４の取り付け穴４１に通して、名札４を下げることができる。
【００２５】
前述した留め具１０とほぼ同形状であるため、この留め具３を使って、名札４をポケットで留めたいときは、上板３１と下板３２との間でポケットを挟んで留める。ボタンに留めるときは、下板３２に形成されているスリット３０にボタンの縫い糸を通して、収納空間３３にボタンを収納して留める。
【００２６】
さらに、この留め具３には、首下げ式などのストラップ５１が取り付けられた連結具５を連結する連結孔３５が形成されている。この連結具５は簡単に連結孔３５に嵌め込め、ワンタッチで取り外すこともできる。
【００２７】
したがって、この連結具５で留め具３を連結した場合、ストラップ５１を首に下げただけでも名札４を身につけることも可能であり、その状態でポケットやボタンに留め具３を取り付けると位置が固定されて、身体を屈んだ際にブラブラせずに邪魔にならない。また、連結具５を取り外して、留め具３単体で留めることも可能であるため、首下げ、ボタン留め、ポケット留めという３つの選択肢を持つ名札となる。
【００２８】
尚、本発明は以上のような実施形態に限定されるものではない。本発明の特許請求の範囲に記載した事項と実質的に同一の構成を有し、同一の作用効果を奏するものは本発明の技術的範囲に属する。
【００２９】
上記実施形態では、留め具形状が１枚の板を折り返したクリップ形状であったが、これに限られるものではなく、留め具の用途などによって任意の形状とすることができる。例えば、複数の部材とバネにより、所謂「洗濯バサミ構造」のクリップ形状とすることもできる。
【産業上の利用可能性】
【００３０】
本発明の留め具は、ボタンに留めることと、ポケットに留めるという２つの機能を併せ持ち、さらには首下げ式ストラップへと組み合わせて使用することも可能であるため、多彩な服装や職場環境などに応じた留め具として使用できる。特に名札や携帯ストラップなど、非常に需要の高い分野で有用な留め具である。
【図面の簡単な説明】
【００３１】
【図１】本発明に係る一実施形態の留め具の斜視図
【図２】その留め具を下から見た斜視図
【図３】図２のＡ−Ａ線から見てその留め具をボタンに取り付けた状態を説明する一部断面図
【図４】他の実施形態の留め具を説明する斜視図
【符号の説明】
【００３２】
１…上板、２…下板、１０…留め具、１１…収納空間、１２…湾曲部、１３…留め穴、１４…凸部、１５…凹部、２２…スリット、２４…凸部、２５…凹部、３…ボタン。
【図１】
2010012132.tif 000003
【図２】
2010012132.tif 000004
【図３】
2010012132.tif 000005
【図４】
2010012132.tif 000006